Podtech/llm-jp-corpus-v4-ja_patent huggingface dataset:
(57)【要約】      （修正有） 【課題】展示品を最適な角度で展示・閲覧を可能にし、保管時には板形状になり保管スペースの削減を可能にするスタンドを提供する。【解決手段】基板部１と基板部に第１の谷折れ線ａ、ｃで接続された背面側当て板部２を有する。背面側当て板部２には、第一の谷折れ線ａ、ｃに垂直に切り込部ｅが形成される。基板部１には切り込部ｅと一直線状となるように第２の谷折れ線ｂにより、基板部１に直立に引き起こすことが可能な角度調整支え板３と、背面側当て板部２の反対側の端部に位置し前記第１の谷折れ線と略平行に形成された第３の谷折り線部ｄで引き起こし可能な展示品止め板４が形成される。角度調整支え板３に形成された切り欠き部ｇ１〜ｇ３に背面側当て板部２の切り込部ｅが勘合する。【選択図】図２
0003166310.tif 000002
【実用新案登録請求の範囲】
【請求項１】
基板部と前記基板部に第１の谷折れ線で接続された背面側当て板部とを有し、前記背面側当て板部には、前記第一の谷折れ線から前記第一の谷折れ線に垂直に切り込部が形成され、前記基板部には、前記切り込部と一直線状となるように形成された第２の谷折れ線により、前記基板部に直立するように引き起こすことが可能な角度調整支え板と、前記背面側当て板部の反対側の端部に位置し前記第１の谷折れ線と略平行に形成された第３の谷折り線部で引き起こし可能に形成された展示品止め板とが形成され、前記角度調整支え板に形成された切り欠き部に前記背面側当て板部の前記切り込部が勘合することを特徴とするスタンド。
【請求項２】
前記角度調節支え板には、前記切り欠き部が複数形成されていることを特徴とする請求
項１に記載のスタンド。
【請求項３】
構成する部材が可塑性に有する基材で1または2に記載のスタンド。
【考案の詳細な説明】
【技術分野】
【０００１】
本考案は板型状の電子機器、パンフレット、カタログ、書籍、携帯電話、小物商品を立て掛けた状態で設置、閲覧するスタンドに関する。
【背景技術】
【０００２】
従来、一枚の板状材料を折り曲げて形成するスタンドとしては、側面三角形状に折曲げ、その正面パネル部分に一枚の写真等を安定化するように構成したものがある。
【考案の概要】
【考案が解決しようとする課題】
【０００３】
従来のスタンドのように、その正面部分に立てかける方式であると、展示角度・閲覧角度により光の反射、視認・閲覧角度によって見苦しい展示・閲覧を余儀なくされた。また、角度別に展示スタンドを選定しなければならないため保管スペース・輸送コスト・商品コスト負担の欠点を解決するものである。
【０００４】
本考案は従来のスタンドに生じた上記のような問題点の解消を図り、展示品を最適な角度で展示・閲覧を可能にし、保管時には板形状になり保管スペースの削減を可能にするスタンドの提供を図ったものである。
【課題を解決するための手段】
【０００５】
基板部と前記基板部に第１の谷折れ線で接続された背面側当て板部を有し、前記背面側当て板部には、前記第一の谷折れ線から前記第一の谷折れ線に垂直に切り込部が形成され前記、基板部には前記切り込部と一直線状となるように形成された第２の谷折れ線により、前記基板部に直立するように引き起こすことが可能な角度調整支え板と前記、背面側当て板部の反対側の端部に位置し前記第１の谷折れ線と略平行に形成された第３の谷折り線部で引き起こし可能に形成された展示品止め板が形成され、前記角度調整支え板に形成された切り欠き部に前記背面側当て板部の前記切り込部が勘合することを特徴し、また、前記角度調節支え板には複数の前記切り欠き部が形成され、構成する部材が紙板材・樹脂板材・金属板材で折り曲げ可能な、可塑性に富む基材で構成されることにより問題点を解決している。
【考案の効果】
【０００６】
上述の様に角度が調整できることで角度別のスタンドを使用する必要性が無く、基本構造が平板状のものであるため、保管時の保管場所の縮小化が図られ、製造の容易性からコスト的に低廉化されると同時に、現地組み立て（簡単な折り曲げで可能）という作業工程を採ることにより、保管および運送上きわめて有利な製品とされる。
【図面の簡単な説明】
【０００７】
【図１】本考案に係る角度調節機能付スタンドの展開図である。
【図２】本考案に係るスタンドの展示品を載せる状態の斜視図である。
【図３】本考案に係るスタンドの展示品を載せる角度を変えた状態の斜視図である。
【考案を実施するための形態】
【０００８】
図１は本考案に係る角度調節機能付スタンドの展開図である。同図において、1は 基板部、２は当該基板部の後端縁に谷折り線a谷折り線cを介して連なる背面側当て板部、３は基板部１の切り込線ｈ、谷折り線bを介して連なる角度調整板、４は当該基板部前端縁に切り込線ｆと谷折り線ｄを介して連なる展示品止めである、３に連なるg1・g2・g3は、角度調整切り込みで、背面側当て板２の角度を調節する溝である。これら各部は一枚の板基材により一体的に形成されている。谷折り線a谷折り線cは、一直線上に配置され、これと平行に谷折り線ｄが形成されている。切り込み線eは、谷折り線a及び谷折り線cに直角に形成されており、切り込み線eと谷折り線bは一直線状に配置されている。
【０００９】
図２及び図３は、本考案の実施例を表した展示品の角度を変化させた状態を表した斜視図である。谷折り線bで谷折りした角度調整板３が谷折り線aと谷折り線cで谷折りされた背面側当て板２の切り込み線eに挿入される。角度調整板３に設けられたg1・g2・g3のいずれかに切り込み線eの端部が係止され、基板部１と背面側当て板２の角度が固定される。展示品止め板４は、谷折り線dで谷折りされて引き起こされ、これにより図２において展示物Ａを２の背面側当て板にて支え、４の展示品止め板で展示品が滑り落ちるのを防止することができ、そして３の角度調整板に付けられたｇ１、ｇ２、ｇ３の角度調整切り込みに後端縁に谷折り線ａ・ｃを介して連なる背面側当て板部２をはめ込み、ｇ１、ｇ２、ｇ３にて背面側当て板の角度を変えることにより、図３に示す展示品の角度を変える事ができる。
【符号の説明】
【００１０】
A…展示品
１…基板部
２…背面側当て板
３…角度調整板
４…展示品止め板
a…谷折り線
b…谷折り線
c…谷折り線
d…谷折り線
e…切り込み線
f…切り込み線
ｇ１…角度調整切り込み
ｇ２…角度調整切り込み
ｇ３…角度調整切り込み
ｈ…切り込み線
【図１】
0003166310.tif 000003
【図２】
0003166310.tif 000004
【図３】
0003166310.tif 000005
【手続補正書】
【提出日】平成22年9月1日(2010.9.1)
【手続補正１】
【補正対象書類名】実用新案登録請求の範囲
【補正対象項目名】請求項３
【補正方法】変更
【補正の内容】
【請求項３】
基板部、背面側当板、角度調節支え板、展示品止め板が可塑性を有する基材であることを特徴とする、請求項1または請求項2に記載のスに記載のスタンド。
【手続補正書】
【提出日】平成22年10月19日(2010.10.19)
【手続補正１】
【補正対象書類名】実用新案登録請求の範囲
【補正対象項目名】請求項３
【補正方法】変更
【補正の内容】
【請求項３】
基板部、背面側当て板部、角度調節支え板、展示品止め板が可塑性を有する基材であることを特徴とする、請求項1または請求項2に記載のスタンド。
(57)【要約】      （修正有）【課題】太陽光発電器に充電器を接続し温度センサー制御装置により温度設定をして灯火信号により危険回避を目的とした温度センサー路面凍結警告灯を提供する。【解決手段】警告灯１に太陽光発電パネル２を装置し充電器５と温度センサー制御装置３を装置し警告灯本体１の外部に温度センサー４を接続する。取付バンド６と取り付きネジ７で支柱等に固定する。使用するときは温度センサーのスイッチを入れると作動する。この構成により、太陽光発電を応用し温度センサーにより警告灯を点灯、点滅させる。又、温度が下がり警告をする温度と温度が上がり警告を解除する温度を個々に設定できるようにする。【選択図】図１
0003166352.tif 000002
【実用新案登録請求の範囲】
【請求項１】
太陽光発電装置と充電装置を備え、温度センサー制御装置により、警告灯を点灯又は点滅させる路面凍結警告灯
【請求項２】
請求項１の路面凍結警告灯において、温度が下がり警告する温度と、温度が上がり警告を解除する温度を個々に設定できる路面凍結警告灯
【考案の詳細な説明】
【技術分野】
【０００１】  本考案は太陽光発電器に温度センサーを備えた路面凍結警告灯に関するものである。
【背景技術】
【０００２】          従来は路面の下に温度センサーを埋め込む方法等があった。
【考案の開示】
【考案が解決しようとする課題】
【０００３】    そのために、次のような問題点があった。
（イ）路面の下に温度センサーを埋め込み地上に温度表示する方法で大変な経費がかかった。
（ロ）大規模固定式で移動が出来ない欠点がある。
（ハ）灯火により注意を促す装置の物はなかった。
【課題を解決するための手段】
【０００４】太陽光発電器に充電器を接続し温度センサー制御装置により温度設定をして灯火信号により危険回避を目的とした温度センサー路面凍結警告灯である。
【考案の効果】
【０００５】（イ）温度センサーが周辺の凍結する温度を感知し、警告灯が点滅して運転者や歩行者に危険を知らせる。
（ロ）軽量小型で危険個所にも素早く移動設置できる。
（ハ）直線距離であれば数百メートル手前からでも灯火の色が分かるため路面凍結の危険が察知できる。
（ニ）常に凍結しやすい所（トンネルの出口、入り口、橋の上、日の当らない上り坂、下り坂）等に設置すれば効果が大きい。
（ホ）路面が凍っているのか水で濡れているだけなのか判断できない時がある。その様な時こそ威力を発揮する。
【考案を実施するための最良の形態】
【０００６】以下、本考案の形態について説明する。
（イ）警告灯（１）に太陽光発電パネル（２）を装置し充電器（５）と温度センサー制御装置（３）を装置し警告灯本体（１）の外部に温度センサー（４）を接続する。取付バンド（６）と取り付きネジ（７）で支柱等に固定する。
本考案は以上の様な構成でこれを使用するときは温度センサーのスイッチを入れると作動する。
【図面の簡単な説明】
【０００７】
【図１】本考案の正面図
【図２】本考案の側面図
【符号の説明】
【０００８】１  警告灯
２  太陽光発電パネル
３  温度センサー制御装置
４  温度センサー
５  充電器
６  取付バンド
７  取付ネジ
【図１】
0003166352.tif 000003
【図２】
0003166352.tif 000004
(57)【要約】      （修正有）【課題】自転車サドルの形状を改良することにより、体重を臀部全体でサドルに伝える様にして、自転車に乗ることにより発生する健康被害を防止するＥＤ防止用自転車サドルを提供する。【解決手段】台座１に車体取り付けパイプ２を装着し、この台座にスポンヂ４を装着し、そのスポンヂの尻部に当る部分を切り抜き、そこに空気袋３を装着し、サドル後部の両サイドを高くして尻部全体がサドルに密着し、尻部全体で重力を受けることにより会陰部の圧迫を取り除く。【選択図】図２
0003166353.tif 000002
【実用新案登録請求の範囲】
【請求項１】
自転車用サドルの後部の巾を広く両サイドを高くして、中心部を低くし、尻部分全体で重力を受け止め、中央部分が会陰部分を圧迫しない様にし、重力を拡散させることで走行時の安定を生み、空気袋内装する事で尾骨を保護する事を特徴とするＥＤ防止用自転車サドル。
【考案の詳細な説明】
【技術分野】
【０００１】本考案は、人体会陰部につながる動脈損傷を防止する自転車用サドルに関するものである。
【背景技術】
【０００２】従来の自転車用サドルは、自転車に股がって乗り、その重力は人体の股間に集中しさまざまな病気や健康被害の原因となっている。
【考案の開示】
【考案が解決しようとする課題】
【０００３】自転車利用者が急増する最近、自転車使用により起因する数々の健康問題が起っています。この自転車使用の問題点をサドルの機能を改良し上記の問題を解決するものである。
【課題を解決する為の手段】
【０００４】本考案は、サドルにかかる人体の重力が臀部全体巾広く受けるために、サドルの後部分を大きく広く両サイドを高くし、股間部を低くして会陰部の圧迫を除去し尾骨に当たる部分に空気袋を内装して解決するものである。
【考案の効果】
【０００５】本考案のサドルは、人体の股間部に起こる数々の傷害を除去し、長時間の使用も出来、走行時の安定も良くなり、転倒等の防止に役立つ。
【考案を実施するための最良の形態】
【０００６】サドルの尻部分に当る部分を尻部より広くし、両サイド中心部分より高くし、尻部がサドルに包まれる様にし、重力が尻部外側より全体に平均してかかる様にし、中心部は尾骨で平面で受ける。この時の尾骨を保護する為にサドル中心部分に空気袋を内装させ、これをスポンジ等で包み込む。中心部分に空間が出来る様にし、股間の圧迫を除去するものである。
【実施例】
【０００７】添付図面に従って説明する。▲１▼の台座に▲２▼の車体取り付けパイプを装着し、この台座に▲４▼スポンヂを装着し、そのスポンヂの尻部に当る部分を切り抜き、そこに▲３▼の空気袋を装着し、サドル後部の両サイドを高くして尻部全体がサドルに密着し、尻部全体で重力を受けることにより会陰部の圧迫を取り除く。
【図面の簡単な説明】
【０００８】
【図１】本考案の各部品装着し、裏側よりの図面
【図２】本考案の後部よりの図面
【図３】本考案の断面図
【符号の説明】
【０００９】１………………台座金
２………………取り付パイプ
３………………空気袋
４………………スポンヂ
５………………取り付ネジ
６………………サドル表カバー
【図１】
0003166353.tif 000003
【図２】
0003166353.tif 000004
【図３】
0003166353.tif 000005
(57)【要約】      （修正有）【課題】頭を含む上半身全体を暖めることが可能になり、アウターとしても使用でき、容易に変形できるポンチョに変形するストールを提供する。【解決手段】大判のストールにフードを取り付ける。ストールのフード取り付け位置から両サイド０〜３０ｃｍ離れた場所にボタンやジッパーを取り付ける。これにより開閉可能となる。開けているときはにはストールやマフラーとして使用できる。閉めている時には防寒性の高いポンチョなどの衣料として使用できる。またフードがついているため、外側の素材を防水性にすることでレインコートとしても使用できる。【選択図】図２
0003166329.tif 000002
【実用新案登録請求の範囲】
【請求項１】
大判のストールに頭にかぶれるようにフードを取り付ける。さらに前面にボタンやジッパーなどを付けることにより開閉可能となり、断熱性に優れた毛織物を使用して作ることで、マフラーやひざ掛けやポンチョなどとして使用できる防寒対策用のストール。
【考案の詳細な説明】
【技術分野】
【０００１】本考案は１枚の大判ストールにフードを付け、ボタンやジッパーを工夫して取り付けることにより防寒対策用のポンチョと使用できるストールに関するものである。
【考案の概要】
【考案が解決しようとする課題】
【０００２】寒冷時にひざ掛けやストールを使用する人は多い。ストールやマフラーはずり落ちることが多く、体の部分的な暖房効果はあるが体全体を暖めるものではない。
【考案が解決するための手段】
【０００３】大判のストール１に頭にかぶるフードを付ける。フード４の両サイドから０〜３０ｃｍの部分にボタン２とボタン穴３を付ける。ボタンで止めることによりフード付ポンチョと使用できるようにした。毛織物を使用して作れば防寒対策用のポンチョとして、表面をビニール素材で作ればレインコートとして使用できるようにした。
【考案の効果】
【０００４】大判のストール自体がフード付ポンチョに変形するため、体の一部分を温める機能に追加して頭を含む上半身全体を暖めることも可能になった。これによりアウターとしても使用できるようになり、ボタン又はジッパーで留めるため容易に変形できるようようにした。
【図面の簡単な説明】
【０００５】
【図１】大判ストールにフード部をつけた平面図である
【図２】ポンチョとして使用している図面である
【図３】マフラーとして使用している図面である
【図４】ストールとして使用している図面である
【図５】ひざ掛けとして使用している図面である
【考案を実施するための形態】
【０００６】以下、本考案の実施の形態を図示に基づいて説明する。図１はフード部を付けたストールの平面図である。図２はストールをはおり、ボタンを留め、フードをかぶり、ポンチョにした状態である。図３は首にまき、マフラーとして使用している状態である。図４はストールとして使用している状態である。図５はひざ掛けとして使用している状態である。
【０００７】本考案にかかるフード付ポンチョの使用に際して、表面をビニール素材にすれば防水対策のレインコートとして使用できるようになる。またボタンをジッパーにかえればより防寒にすぐれたアウターとして使用できる。
【符号の説明】１  ストール本体表面
２  ボタン
３  ボタン穴
４  フード部
【図１】
0003166329.tif 000003
【図２】
0003166329.tif 000004
【図３】
0003166329.tif 000005
【図４】
0003166329.tif 000006
【図５】
0003166329.tif 000007
【手続補正書】
【提出日】平成22年12月1日(2010.12.1)
【手続補正１】
【補正対象書類名】実用新案登録請求の範囲
【補正対象項目名】全文
【補正方法】変更
【補正の内容】
【実用新案登録請求の範囲】
【請求項１】
断熱性に優れた毛織物を使用して作られた大判のストールに、首や頭部に対する防寒性を増すためにフードを取り付け、さらにストール本体に開閉ができるようボタンを取り付けることで、マフラーやひざ掛けやポンチョとして使用できる防寒対策用のストール。
(57)【要約】      （修正有）【課題】簡単な表面処理で、文字や絵柄を書き込むことができるガラス板を提供する。【解決手段】板ガラスを打刻し、発生させた亀裂内部に空気を封入し、それを多数施すことにより文字や絵柄を書き込む。【選択図】図３
0003166321.tif 000002
【実用新案登録請求の範囲】
【請求項１】
板硝子に衝撃を与え、その内部に微少な空気を封入する工法
【考案の詳細な説明】
【考案の詳細な説明】
【技術分野】
【０００１】この考案は、板硝子表面を鋭利な加工工具（アルミ製）で瞬間的に打刻することにより、微少な亀裂をガラス板に生じさせ、その亀裂内部に微少な空気を封入することにより成立する。
【背景の技術】
【０００２】従来、硝子の表面加工は研磨装置を使用したり、薬品による腐食作用により文字や画像を書き込んでいた。
その為、加工から生じる廃棄物廃液などを発生させていた。
その上で研磨作業や腐食作業に当たっては、時間と労力を大きく消費し制作に関しては、非常にコスト及び労力を要し大量生産が不可能であった。
【考案の開示】
【考案が解決使用とする課題】
【０００３】本案は、その欠点を除いて小規模な製作施設と天然資源の浪費及び環境破壊の少ない硝子造形物を製作する工法である。
しかも製作の原価を少なくする為の工法を開発する物である。
【課題を解決するための手段】
【０００４】    その解決手段を下記のように図面を追いながら説明する。
（イ）市場に流通する板硝子（厚み４〜２５ｍｍ程度）の物を加工台にのせる。製作用架台とガラスの間には衝撃を和らげるフェルトシートをはさむ［図１］
（ロ）ガラス上面に、先のとがったアルミ製の加工具を瞬間的に打刻する。［図２］
（ハ）打刻されたガラス板は微少な亀裂を生じ、それと同時にその亀裂内部に微少な空気が封入される。［図３］
【考案の効果】
【０００５】本案は以上のような製造方法であるから、硝子の表面処理を簡単に施する事ができる。
その事により製作原価を下げる事と余計な労力及び工場施設を作ることにより天然資源の無駄使いを押さえることに貢献する材料である。
【０００６】なお、本考案の実施に当り次のような事が可能である。
（イ）ガラスの透明な部分と空気が封入された部分の違いにより識別される、透明感のある文字や図柄をガラス板に施すことが可能になる。
（ロ）ガラス板に亀裂を生じさせる位置を変更するだけで自由な形で製作可能なので非常にフレキシブルな注文にも対応できる。
【考案を実施するための最良の形態】
【０００７】したがって、コストと天然資源の使用を減少させる事が出来る。
【産業上の利用の可能性】
【０００８】空気を封入させたガラス板に対して外部から光を当てると封入させた空気が反射し、当てた光の色が浮き出してくるので、照明機器などに使用が可能である。
【図面の簡単な説明】
【０００９】
【図１】ガラスを製作用課題にのせた状態説明
【図２】加工工具をガラスに当てる際の状態説明
【図３】加工後のガラスの状態説明
【図１】
0003166321.tif 000003
【図２】
0003166321.tif 000004
【図３】
0003166321.tif 000005
【手続補正書】
【提出日】平成22年11月10日(2010.11.10)
【手続補正１】
【補正対象書類名】実用新案登録請求の範囲
【補正対象項目名】全文
【補正方法】変更
【補正の内容】
【実用新案登録請求の範囲】
【請求項１】
４〜２５ｍｍの板ガラスを打刻することにより放射状の亀裂を発生させることで亀裂内部に空気を封入し、それを多数施することにより任意の文字や絵柄を書き込んだガラス板
【手続補正３】
【補正対象書類名】図面
【補正対象項目名】全図
【補正方法】変更
【補正の内容】
【図１】
0003166321.tif 000006
【図２】
0003166321.tif 000007
【図３】
0003166321.tif 000008
【図４】
0003166321.tif 000009
【図５】
0003166321.tif 000010
【手続補正４】
【補正対象書類名】明細書
【補正対象項目名】０００９
【補正方法】変更
【補正の内容】
【０００９】
【図１】ガラスを製作用加工台にのせた状態
【図２】加工工具をガラスに当てる際の状態
【図３】加工後のガラスの状態
【図４】連続して打刻する様子
【図５】任意の図柄文字を構成させた様子
(57)【要約】      （修正有）【課題】屋根雨水を清浄かつ安定して貯水し、耐水を効率的に活用することができる縦樋を利用した貯水槽を提供する。【解決手段】屋根軒先雨樋１からの斜管を縦樋に密接させると共に、縦樋を貯水槽５とし、その内側にもう一本のベルビアン貼りオーバーフロー管３を縦に内臓し、貯水が満タンになるとオーバーフロー分が管を通って排出する構造とする。縦樋貯水槽には底部に水栓６を儲け、オーバーフロー管頭部との水位差を受けた貯水がその開放により水圧によって外部へ吐出する構造とし，必要に応じて散水、放水できる構造とする。縦樋貯水槽の頭頂には取り外し可能な密閉掩蓋２を儲け、貯水の密閉を確保すると同時に必要時に開けて殺虫剤、殺菌剤、浄化剤等の投入ができる構造とする。【選択図】図１
0003166325.tif 000002
【実用新案登録請求の範囲】
【請求項１】
屋根上に降る雨水を樋等により軒先に集中し、斜管を経由して直立する貯水槽兼用の縦樋に貯水し、その内側に設置するオーバーフロー管を通して余剰雨水を底部から排出する機構。
【請求項２】
貯水槽を兼ねる縦樋の底部に水栓を設け、オーバーフロー管の高さとの水位差による水圧を利用して散水及び清掃用水等に活用する機構。
【請求項３】
貯水槽を兼ねる縦樋の頭部に密閉かつ取り外し可能な掩蓋を儲けて、害虫や微生物の進入を防ぐと共に、必要に応じて殺虫剤及び殺菌剤を投入して清浄性を確保する機構。
【考案の詳細な説明】
【考案の詳細な説明】
【技術分野】
【０００１】  本考案は住宅建物等の屋根に降った雨水を集中して貯水槽を兼ねた縦樋に貯水し、内部に設けるオーバーフロー管を通して排水する密閉方式の天水利用設備であり、貯水槽兼用の縦樋の内部に併設するオーバーフロー管と底部に設置する水栓との水位差による水圧により散水、洗浄能力の活用と浄化能力の付与を可能とする技術分野に属する。
【背景技術】
【０００２】  従来、離島、山間地をはじめ水源の乏しい地域にあっては屋根雨水が生活用水等に利用され、その多くは天水桶や貯水池など、開放空間に置かれて汲み上げて利用されており、ボウフラの発生源になるなど微生物の自在にもまかされてきている。天候の加減にも左右されやすく、汲み上げ等の労力がかかる。また、水源が豊富な地域にあっても、屋根雨水の垂れ流しは、水資源の浪費である。
【考案が解決しようとする課題】
【０００３】  従来の技術について述べたもののうち、開放空間での雨水活用については害虫や微生物、有害細菌等の進入増殖を防止するために密閉空間化し、安定水源化するためには貯水能力を付与する必要がある。同時に貯水能力をオーバーする雨水については密閉環境内で排出しなければならない。
【０００４】  貯水についてはその水位による水圧を利用し、底部に水栓を設けて必要時に貯水を簡便に取水利用することができるようにする必要がある。
【０００５】  貯水からオーバーフロー排水までの清浄を保つまでの密閉性を保つと同時に、必要に応じて、殺菌剤、殺虫剤、浄化剤等が投入できるキャップを設ける必要がある。
【考案を実施するための手段】
【０００６】  上記目的を達成するために、本考案における雨水集中縦樋においては、屋根軒先雨樋からの斜管を縦樋に密接させると共に、縦樋を貯水槽とし、その内側にもう一本のベルビアン貼りオーバーフロー管を縦に内臓し、貯水が満タンになるとオーバーフロー分が管を通って排出する構造とする。
【０００７】  縦樋貯水槽には底部に水栓を儲け、オーバーフロー管頭部との水位差を受けた貯水がその開放により水圧によって外部へ吐出する構造とし，必要に応じて散水、放水できる構造とする。
【０００８】  縦樋貯水槽の頭頂には取り外し可能な密閉掩蓋を儲け、貯水の密閉を確保すると同時に必要時に開けて殺虫剤、殺菌剤、浄化剤等の投入ができる構造とする。
【考案を実施するための形態】
【０００９】  本考案の実施の形態について図面を参照して説明する。
図１において１は屋根雨水を受けて縦樋貯水槽５に注ぐ樋である。
１から５に注ぐ雨水は貯水され、水位が３のベルビアン貼りオーバーフロー管頭部に達すると、オーバーフロー分雨水は管を経由して底部の８の排水管から排出される。
２は取り外し可能な縦樋貯水槽の頭頂密閉キャップであり必要に応じて開き、殺虫剤、殺菌剤，浄化剤等の投入が行える。
４は縦樋貯水槽を家屋の柱や壁によって保持する引っ張り金具である。
６は縦樋貯水槽の底部に設ける水栓であり貯水の水圧を受けつつ必要時に散水、取水することができる。
７は縦樋貯水槽のコンクリート基礎である。
【考案の効果】
【００１０】  以上の構造によって、屋根雨水が清浄かつ安定的に貯水活用され、排水されるので、従来の天水利用より利便性と環境浄化の両面ではるかに効果的となる。
【図面の簡単な説明】
【図１】  本考案の雨水集中貯水二重縦樋の縦断面図である。
【符号の説明】１  雨水集中雨樋
２  縦樋貯水槽掩蓋キャップ
３  貯水オーバーフロー排出管
４  引っ張り金具
５  縦樋貯水槽
６  水栓蛇口
７  コンクリート基礎
８  排水放流管
【図１】
0003166325.tif 000003
【手続補正書】
【提出日】平成22年12月2日(2010.12.2)
【手続補正１】
【補正対象書類名】実用新案登録請求の範囲
【補正対象項目名】全文
【補正方法】変更
【補正の内容】
【実用新案登録請求の範囲】
【請求項１】
屋根上に降る雨水を樋などにより軒先に集中し、斜管を経由して直立する貯水槽兼用の縦樋に貯水し、その内側に設置するオーバーフロー管を通して余剰雨水を底部から排出する機構。
【請求項２】
貯水槽を兼ねる縦樋の底部に水栓を設け、オーバーフロー管の高さとの水位差による水圧を利用して散水及び清掃用水等に活用する請求項１記載の機構。
【請求項３】
貯水槽を兼ねる縦樋の頭部に密閉かつ取り外し可能な掩蓋を設けて害虫や微生物の侵入を防ぐと共に、必要に応じて殺虫剤及び殺菌剤を投入して清浄性を確保する請求項１又は請求項２に記載の機構。
(57)【要約】      （修正有）【課題】食事時の食べこぼしによる衣類の汚れ防止し、かつ拭きやすく洗いやすい介護用エプロンを提供する。【解決手段】肩口から前面にかけて略Ｕ字状の外縁を有するエプロン生地と、外縁に沿って設けられている紐通し部と、紐通し部に挿通される紐と、紐の両端を止める紐止め具とを備える。紐通し部に通した紐を引っ張ることによってエプロン生地を凹状態に変形させて紐止め具で保持する。【選択図】図１
0003166333.tif 000002
【実用新案登録請求の範囲】
【請求項１】
首元から反対側首元まで通した紐を紐止め具を手段とすることにより紐を引いて縮ませ、シャーリング状を形成し、エプロン胸部分が凹んで受け皿の役目を果し、食べこぼしをキャッチすることが出来る介護用食事エプロンである。
【請求項２】
シャーリング状を形成させるための首元から反対側首元まで通した紐をとめる手段は、プラスチック押し込み開閉のとめ具を備えた請求項１に記載の介護用食事エプロンである。
【請求項３】
撥水性、防水性のある生地を使用した請求項１．２に記載の介護用食事エプロンである。
【請求項４】
首うしろ開閉手段は、プラスチック平面スナップを備えた請求項１〜３に記載の介護用食事エプロンである。
【考案の詳細な説明】
【技術分野】
【０００１】
本考案は、装着を容易にし、食べこぼしによる汚れ防止を目的とした介護用食事エプロンである。
【背景技術】
【０００２】
毎日繰り返される食事時における食べこぼしは避けられないことであり、食後の床の清掃も大変な作業となる。下記特許文献１は、袖まで有するエプロンの両サイドにゴム等を縫込み弾力性を持たせ、テーブルとトレイなどの間にエプロンの裾を挟んで全体に凹部となるようにした介護用エプロンを示す。
【０００３】
下記特許文献２は、貫頭穴を有し、ポケット部を前面に形成した防水性素材の使い捨て介護用エプロンを示す。
【０００４】
下記特許文献３は、表布上下2箇所を、また裏布左右2箇所をスナップでとめることにより凹み部分を形成した、介護用エプロンを示す。
【先行技術文献】
【特許文献】
【０００５】
【特許文献１】実用新案登録第３０４８７８９号公報
【特許文献２】実用新案登録第３０４６７７３号公報
【特許文献３】特開２０００−１３６４０８号公報
【考案の概要】
【考案が解決しようとする課題】
【０００６】
特許文献１は、テーブルとトレイなど間にエプロンの裾を挟まなくてはならず、大変不安定となる。特許文献２は、ポケット開口部が狭く食べこぼしを十分にキャッチできない。特許文献３は、折った間から液体などが零れ落ちる危険性があり、機能性として不十分である。
本考案は、簡単着脱で、食べ物また水などを確実にキャッチして食事時の食べこぼしによる衣類の汚れ防止を目的とし、かつ拭きやすく洗いやすい介護用エプロンを提供することを目的とする。
【課題を解決するための手段】
【０００７】
本考案による介護用食事エプロンは、首元から反対側首元まで通した紐を引いて縮めてシャーリング状を形成し、紐止め具を用いてシャーリング状を固定することでエプロン胸部分が凹んで受け皿の役目を果たす。またシャーリング状を解除することにより、1枚の布となるので洗浄しやすく衛生的でかつ撥水性、防水性のある生地を使用して染み込みを防止し、首うしろにてプラスチック平面スナップを備えて簡単着脱できる介護用エプロンとして使用できる。
【考案の効果】
【０００８】
着用者は食べこぼしにより衣服への汚れを気にすることなく活発に食事が楽しめ、健康維持につながる。鮮やかな色のエプロンを提供することで食欲も増進効果が期待できる。
また、シャーリング状を解除することにより、1枚の布となるので洗浄しやすく衛生的。食べこぼしを拾ったり拭いたりの床清掃の労力軽減につながる。
【図面の簡単な説明】
【０００９】
【図１】本考案のエプロン正面図
【図２】図１に示すエプロン側面図
【図３】プラスチック平面スナップ
【考案を実施するための形態】
【００１０】
以下、本考案による介護用衣服の実施の形態を図１〜図３において説明する。
【００１１】
図１〜図３に示すように本考案による介護用エプロンは、両端AからB紐通しを備えている。紐Cを引いてシャーリングして止め具Dを用いて固定し、エプロンを凹状態にして使用する。首後ろEは、プラスチック平面スナップFにて簡単に着脱できる。シャーリングの解除をして1枚の布になり、洗浄が簡単に出来る。
【００１２】
撥水性、防水性のある生地を使用して染み込みを防止。
【産業上の利用可能性】
【００１３】
本考案の介護用エプロンは、エプロンサイズを変えることで子供から大人まで使用できる。さらに、エプロン丈を変えることで食事時のみならず散髪用などに応用して使用することが使用できる。
【符号の説明】
【００１４】
ＡＢ―紐通し箇所  
Ｃ  ―紐  
Ｄ  ―プラスチック製紐固定具  
Ｅ  ―首うしろ
Ｆ  ―スチック平面スナップ  
【図１】
0003166333.tif 000003
【図２】
0003166333.tif 000004
【図３】
0003166333.tif 000005
【手続補正書】
【提出日】平成22年12月16日(2010.12.16)
【手続補正１】
【補正対象書類名】実用新案登録請求の範囲
【補正対象項目名】全文
【補正方法】変更
【補正の内容】
【実用新案登録請求の範囲】
【請求項１】
肩口から前面にかけて略Ｕ字状の外縁を有するエプロン生地と
前記外縁に沿って設けられている紐通し部と
前記紐通し部に挿通される紐と
前記紐の両端を止める紐止め具とを備え
前記紐通し部に通した紐を引っ張ることによって
エプロン生地を凹状態に変形させて紐止め具で保持することを特徴とする介護用食事エプロン。
【請求項２】
前記紐止め具はプラスチック押し込み開閉式としたことを特徴とする請求項1記載の介護用食事エプロン。
【請求項３】
前記エプロン生地は防水性の生地としたことを特徴とする請求項1又は２記載の介護用食事エプロン。
【請求項４】
前記エプロン生地には、首両側位置に延びる首うしろ部を設けており、首うしろ部はプラスチック平面スナップで固定されることで該エプロンを装着することを特徴とする請求項1〜３記載の介護用食事エプロン。
(57)【要約】【課題】髪を洗髪後、ドライヤー又はヘアーアイロンで髪の毛を乾かす時、より早く乾かす為の手袋で、洗髪後の髪の毛の水分と頭皮の水分を吸水性のある熱に強い良い布地等の素材からなる手袋で拭き取り素早く乾燥させることによって、ドライヤー、ヘアーアイロンの使用を短時間とし、髪の毛のダメージを抑える、洗髪後の髪の毛を早く乾かす手袋を提供する。【解決手段】手袋の指の５本の各先端部を数センチ程カットして、手の指先が手袋から出る手袋を設け、両手にはめる。洗髪後、ドライヤー、ヘアーアイロンで髪の毛を乾かす際、片方の手袋で髪の毛の全体、根元を拭きながら、又、とかしながら早く乾かす、さらに直接頭部の頭皮にふれるため地肌のマッサージも出来るような構造にした。【選択図】図１
0003166338.tif 000002
【実用新案登録請求の範囲】
【請求項１】
手袋本体の５本の指の各先端部を数ｃｍカットしたことを特徴とする髪を早く乾かす手袋。
【請求項２】
手袋本体は吸水性の良い熱に強い布地であることを特徴とする請求項１に記載の洗髪の髪を早く乾かす手袋。
【考案の詳細な説明】
【技術分野】
【０００１】  本考案は、洗髪後の髪の毛と頭皮の水分を拭き取り素早く乾燥させることによって、ドライヤー、ヘアーアイロンの使用を短時間とし、髪の毛のダメージを抑える吸水性ある布などの素材からなる洗い髪の水分除去用手袋に関する。
【背景技術】
【０００２】  従来から、家庭の炊事，洗濯用のゴム手袋とか、医療における手術用の手袋等はあったが、理容，美容或は介護における洗髪，洗顔用の手袋は無く、髪をシャンプーした後は、通常はタオルや手拭いで余分な水分を拭き取り、ドライヤー又は、ヘアーアイロンで時間をかけて、手で洗髪後の髪の毛を乾かす。しかし、十分に乾かすためには、ある程度の時間ドライヤー又はヘアーアイロンを使うので髪の毛が痛むうえ、電気の使用量もばかにならない。
このような問題に対処するものとして、下記のような先行特許出願がある。これらは、吸水性のある布地で手袋を作り、片手にこの手袋をはめて、髪の毛と頭皮とを拭きながら、ドライヤー又はヘアーアイロンをかけ、効率よく髪の毛を乾かすようにするものである。
【先行技術文献】
【特許文献】
【０００３】
【特許文献１】特開２００７−７０７７６号公報
【特許文献２】特開２００２−３３６０３４号公報
【考案の概要】
【考案が解決しようとする課題】
【０００４】  しかしながら、特許文献１に記載の手袋も、特許文献２に記載の手袋も、吸収性のある布、熱に強い布、タオルを使用した手袋であり、手の甲が熱くなるのを防ぎ、早く乾かすのが目的である。
本考案は吸収性の良い布を使用し、その手袋の指の先端部５本を数ｃｍカットすることで、指の先端部で頭部の地肌のマーサージがじかにでき、髪の毛の短い人、長い人、ボリュウームのある人等指先で自由に扱えるようにすることを目的として欠点を解消しようとするものである。
本考案は、これらの問題点を解決する為になされたものである。
【課題を解決するための手段】
【０００５】  本考案は、前記の目的を達成するために、手袋本体（１）の５本の指部分と、手の甲及び掌部分（２）とを備え、吸水性に富む材質（３）を設ける。洗髪後の髪の毛を乾かすための手袋本体（１）であって、手袋本体（１）の５本の指先の先端部（４）をカット（５）し、５本の指先が手袋からのぞき、指先が髪の毛にふれ、指先が頭部の地肌にじかに触れることで、頭部の地肌のマツサージもでき、吸水性のある布地で水分を速く吸収し、髪の毛を掴み、指でとかしながら、髪の毛を自在に扱えるような構成にした。
本考案を使用する場合は、両手に手袋本体をはめ、片手で髪の毛を掴み、反対の手にドライヤー、又はヘアーアイロンを持ち、髪の毛を手でとかすようにして乾かし、又、ドライヤー、ヘアーアイロンを持ち替える事により、手の甲が熱くなることを防止できるようにして問題点を解決している。
【考案の効果】
【０００６】  洗髪後の髪の毛を吸水性に富む材質の手袋で拭き、ドライヤー、ヘアードライヤーですばやく短時間で乾かすことができるため髪の毛のダメージを抑えることができるとともに、電気使用量を節約できる。さらに、一方の手にはめた手袋で水分を拭き取りながら、他方の手でヘアドライヤーの風を当てると、髪の毛と同時に水分を含んだ手袋も乾かせるという相乗効果によって、より効率的に髪の毛を乾かすことができる。又、ドライヤーを持ち替えることでドライヤーの熱から手の甲を保護もでき、同時に指先で頭部のマッサージもできる効果も期待できる。
【図面の簡単な説明】
【０００７】
【図１】本考案の正面図
【図２】本考案の実施図
【考案を実施するための形態】
【０００８】  本考案の手袋の実施形態の説明する。
本考案では通常の手袋と同様両手にはめ、片方の手は、ドライヤー又はヘアーアイロンを持ち、他方の手で髪の毛を握ったり、すくったり払ったりして髪の毛を乾かす。さらに本考案の手袋本体は５本の指の先端部が数ｃｍカットされており頭部のマッサージを指先で頭皮にじかにでき、髪の毛を容易に掴むこともできる。
本考案は以上のような構成で、これを使用するときは、両手に５本の指先がカットされた手袋をはめ、他方に、ドライヤー又はヘアーアイロン持って使用し髪の毛を乾かす、又、持ち手を交換して手の甲の熱さも防止できるようにした。
【符号の説明】
【０００９】（１）手袋本体
（２）手の甲及び掌部分
（３）吸水性に富む布地
（４）指先の先端部
（５）カット
【図１】
0003166338.tif 000003
【図２】
0003166338.tif 000004
(57)【要約】      （修正有）【課題】高さを簡単に調節できる枕を提供する。【解決手段】枕１または枕カバーに帯状の細長い布２を付ける。細長い布の端には、クリップ３を付ける。次に枕に付いている細長い布を枕に巻きつけて、自分に合った高さにする。細長い布を枕に巻きつけた後、余った布を端から巻き上げてクリップ３で留め、自分に合った高さになった枕とする。【選択図】図４
0003166336.tif 000002
【実用新案登録請求の範囲】
【請求項１】
帯状の細長い布が付いている枕。
【請求項２】
帯状の細長い布が付いている枕カバー。
【考案の詳細な説明】
【技術分野】
【０００１】  本考案は、高さを簡単に調節できる枕に関するものである。
【背景技術】
【０００２】  個人個人に合わせた高さの枕を、枕の中身の量を調節して作るオーダーメイド枕がある。
【考案の概要】
【考案が解決しようとする課題】
【０００３】  オーダーメイド枕は、オーダーメイドであるがゆえに大変高価であり、作成に手間と時間がかかった。また、敷布団を替えれば枕の高さが微妙に合わなくなったりした。
【課題を解決するための手段】
【０００４】  本考案は、枕に帯状の細長い布が付いていてその細長い布を幾重にも枕に巻きつけることによって高さを調節できる枕と、枕カバーに帯状の細長い布が付いていてその細長い布を幾重にも枕に巻きつけることによって高さを調節できる枕カバーとを提供することで上記の課題を解決する。
【考案の効果】
【０００５】  細長い布を枕に巻きつける回数を変えることによって、簡単に枕の高さをミリ単位で調節できる。
【図面の簡単な説明】
【０００６】
【図１】本考案の帯状の細長い布が付いている枕の一実施例を示す図である。
【図２】本考案の帯状の細長い布を枕に巻きつけたところを示す実施態様図である。
【図３】本考案の帯状の細長い布を枕に巻きつけた後、余った布を端から巻き上げる処理をするところを示す実施態様図である。
【図４】本考案の帯状の細長い布を枕に巻きつけた後、余った布を端から巻き上げてクリップで留め、自分に合った高さに枕が完成したところを示す実施態様図である。
【考案を実施するための形態】
【０００７】  枕または枕カバーに帯状の細長い布を付け、その細長い布の端にクリップを付ける。
【実施例】
【０００８】  図１に示すように、枕または枕カバーに帯状の細長い布を付ける。細長い布の端には、クリップを付ける。【０００９】  図２に示すように、枕に付いている細長い布を枕に巻きつけて、自分に合った高さにする。【００１０】  図３に示すように、細長い布を枕に巻きつけた後、余った布を端から巻き上げる。【００１１】  図４に示すように、余った布を端から巻き上げてクリップで留め、自分に合った高さになった枕の完成である。
【符号の説明】
【００１２】  １  枕
２  長い布
３  クリップ
【図１】
0003166336.tif 000003
【図２】
0003166336.tif 000004
【図３】
0003166336.tif 000005
【図４】
0003166336.tif 000006
(57)【要約】      （修正有）【課題】移動しやすく省スペースで機能的な移動式ワークステーションを提供する。【解決手段】移動式ワークステーションは、書庫型本体１と両開き扉２と丁番と大型取手４と天板５と内部にスライドレール６とテーブル天板７とスライド扉８と棚板９とキャスター１０から構成される。書庫型本体１と両開き扉２を丁番を装着固定することで、両開き扉を９０度開くと扉がスクリーン機能を持つ。書庫型本体１に大型取手４と天板５を装着固定することで、押しても引いても移動することが可能となる。また、衝突保護材の役割をはたす。【選択図】図２
0003166331.tif 000002
【実用新案登録請求の範囲】
【請求項１】
書庫型形状の本体の四方に大型取手を設けた移動式ワークステーション。
【請求項２】
書庫型形状の本体の内部に液晶モニター取付用のスライド扉を設けた移動式ワークステーション。
【考案の詳細な説明】
【技術分野】
【０００１】  本考案は、移動式ワークステーションに関し、移動しやすくする大型取手と省スペース化を目的とする液晶モニター取付用のスライド扉に関するものである。
【背景技術】
【０００２】  従来、トランク型の形状をした移動式ワークステーションがあり、設置するにはトランクを開きＬ型に設置する。外装には運搬時に持ち上げる為の取手が取り付けられている。また、ＯＡ機器の対応の為、配線用の孔が設けられている態様が広く用いられている。
【考案の開示】
【考案が解決しようとする課題】
【０００３】  これは次のような欠点があった。
（イ）従来、Ｌ型に設置する態様なので、スクリーン機能が片側しかなくプライベート        空間ができない場合があった。
（ロ）重量のある荷物を収納したトランク型の移動式ワークステーションを押してしか        移動することしかできなかった。
（ハ）ノートパソコンや携帯電話などの小型ＯＡ機器の対応しかできなかった。
本考案は、以上のような欠点をなくすためになされたものである。
【課題を解決するための手段】
【０００４】  （イ）書庫型本体（１）に両開き扉（２）を設ける。
（ロ）書庫型本体（１）の四方に大型取手（４）を設ける。
（ハ）書庫型本体（１）の内部上部にＯＡ機器を収納するスペースと、スライド扉（８        ）を設ける。
本考案は、以上の構成によりなる移動式ワークステーションである。
【考案の効果】
【０００５】  本考案に係る移動式ワークステーションは、書庫型形状の本体と両開き扉を装着することでスクリーン機能が両側に持つことができる。これにより、どの様な設置レイアウトでも集中できるプライベート空間を確保することができる。【０００６】書庫型の本体の四方に大型取手を設けることで、押しても引いても移動することできる。また、書庫型本体を保護するための車のバンパー機能の役割をはたす。【０００７】移動式ワークステーション内部の上部にＯＡ機器を収納するスペースを設けることで、パソコン本体などを収納することが可能となった。また、スライド扉には液晶モニターを取付することができるので天板面を広く使うことができる。
【考案を実施するための最良の形態】
【０００８】  本考案の実施の形態の一例として移動式ワークステーションについて、図１乃経図７を参照しながら説明する。本考案の移動式ワークステーションは、図７に示すような書庫型本体（１）と両開き扉（２）と丁番（３）と大型取手（４）と天板（５）と内部にスライドレール（６）とテーブル天板（７）とスライド扉（８）と棚板（９）とキャスター（１０）から構成されている。【０００９】  書庫型本体（１）と両開き扉（２）を丁番（３）を装着固定することで、両開き扉を９０度開くと扉がスクリーン機能を持つ。【００１０】  書庫型本体（１）に大型取手（４）と天板（５）を装着固定することで、押しても引いても移動することが可能となる。また、衝突保護材の役割をはたす。【００１１】  書庫型本体（１）内部にスライドレール（６）とテーブル天板（７）を装着固定することで使用時には引き出し、片付ける時には収納することで省スペース化をはたす。【００１２】  書庫型本体（１）にスライド扉（８）をハメ込みことで、液晶モニターをスライド扉に設置することができテーブル面の作業スペースを確保することができる。【００１３】  これを使用するときは共同オフィスやＳＯＨＯなどの空間で、必要な時に移動して設置して執務を行う。また、執務が終わった後は移動して片付けるものである。
【図面の簡単な説明】
【００１４】
【図１】本考案の収納状態を示す斜視図である。
【図２】本考案の使用状態を示す斜視図である。
【図３】本考案の収納状態を示す正面図である。
【図４】本考案の収納状態を示す側面図である。
【図５】本考案の使用状態を示す正面図である。
【図５】本考案の使用状態を示す断面図である。
【図５】本考案の分解斜視図である。
【符号の説明】
【００１５】１  書庫型本体
２  両開き扉
３  丁板
４  大型取手
５  天板
６  スライドレール
７  テーブル天板
８  スライド扉
９  棚板
１０  キャスター
１１  化粧カバー
１２  ワイドビーム
【図１】
0003166331.tif 000003
【図２】
0003166331.tif 000004
【図３】
0003166331.tif 000005
【図４】
0003166331.tif 000006
【図５】
0003166331.tif 000007
【図６】
0003166331.tif 000008
【図７】
0003166331.tif 000009
【手続補正書】
【提出日】平成22年12月6日(2010.12.6)
【手続補正１】
【補正対象書類名】実用新案登録請求の範囲
【補正対象項目名】全文
【補正方法】変更
【補正の内容】
【実用新案登録請求の範囲】
【請求項１】
書庫型形状の本体の四方に大型取手を設けた移動式ワークステーション。
【請求項２】
書庫型形状の本体の内部に液晶モニター取付用のスライド扉を設けた請求項１記載の移動式ワークステーション。
【手続補正２】
【補正対象書類名】明細書
【補正対象項目名】００１４
【補正方法】変更
【補正の内容】
【００１４】
【図１】本考案の収納状態を示す傾斜図である。
【図２】本考案の使用状態を示す傾斜図である。
【図３】本考案の収納状態を示す正面図である。
【図４】本考案の収納状態を示す側面図である。
【図５】本考案の使用状態を示す正面図である。
【図６】本考案の使用状態を示す断面図である。
【図７】本考案の分解傾斜図である。
(57)【要約】      （修正有）【課題】動力システムを改良するとともに、ノード、吸管固定環、滑道固定環及び金属滑道を省略することにより、その検出性能をより安定化し、耐久性を高めることが可能な内蔵吸管式小腸内視鏡を提供する。【解決手段】検出部、負圧吸引機２１、ホストコンピュータ１９、ディスプレイ、冷光源１８、急速反応部及びプリンタ２０を順次接続して構成される内蔵吸管式小腸内視鏡において、検出部を超細主検出鏡と円環状外動力部とにより構成し、超細主検出鏡の外側を円環状外動力部で覆い、円環状外動力部内に４つの滑動可能な吸管７を設ける。【選択図】図２
0003166397.tif 000002
【実用新案登録請求の範囲】
【請求項１】
検出部、負圧吸引部、ホストコンピュータ、ディスプレイ、光源、急速反応部及びプリンタを順次接続して構成される内蔵吸管式小腸内視鏡であって、
前記検出部は、超細主検出鏡と円環状外動力部とにより構成され、
前記超細主検出鏡は、外側を前記円環状外動力部に覆われ、
前記円環状外動力部は、内部に４つの滑動可能な吸管を含む
ことを特徴とする内蔵吸管式小腸内視鏡。
【請求項２】
前記超細主検出鏡は、細長い円管状であり、その内部に生体組織検査通路と光源入力・画像出力ルートとを有することを特徴とする請求項１記載の内蔵吸管式小腸内視鏡。
【請求項３】
前記吸管の切断面は１／４に近い円環状であり、該吸管の先端は密閉され、前記先端の側壁に開口を有することを特徴とする請求項１記載の内蔵吸管式小腸内視鏡。
【考案の詳細な説明】
【技術分野】
【０００１】
本考案は、医療器具に関し、特に、普通外科及び消化内科に直接応用される医療器具に関する。
【背景技術】
【０００２】
従来、小腸疾病の分野では、小腸疾病に対する診断及び治療について、最も早く出現したのはカプセル内視鏡であるが、その応用は非常に局限的であり、腸内状況を大まかに観察し了解することしかできず、又、腸の疾病を治療するという目的を達成することができない。近年では、日本においてダブルバルーン式小腸内視鏡が発明され、小腸疾病の診断及び治療を基本的に満足させることが可能となったが、当該原理による小腸内視鏡は、腸内で運行する場合の相対変位が短く、操作時間が長くて、バルーンが老化し破裂し易い。内蔵吸管式小腸内視鏡は、吸管式全小腸内視鏡に対し、動物実験を経て動力システムを改良したものであり、ノード、吸管固定環、滑道固定環及び金属滑道が省略されるとともに、その検出性能がより安定化されるとともに、更なる耐久性が得られる。
【考案の概要】
【考案が解決しようとする課題】
【０００３】
本考案は、動力システムを改良するとともに、ノード、吸管固定環、滑道固定環及び金属滑道を省略することにより、その検出性能をより安定化し、耐久性を高めることが可能な内蔵吸管式小腸内視鏡を提供することを目的とする。
【課題を解決するための手段】
【０００４】
本考案に係る内蔵吸管式小腸内視鏡は、検出部、負圧吸引部、ホストコンピュータ、ディスプレイ、光源、急速反応部及びプリンタを順次接続して構成され、検出部は、超細主検出鏡と円環状外動力部とにより構成され、超細主検出鏡は、外側を円環状外動力部に覆われ、円環状外動力部は、内部に４つの滑動可能な吸管を含むことを特徴とする。
【０００５】
超細主検出鏡は、細長い円管状であり、その内部に生体組織検査通路と光源入力・画像出力ルートとを有する。
【０００６】
吸管の切断面は１／４に近い円環状であり、吸管の先端は密閉され、先端の側壁に開口を有する。
【考案の効果】
【０００７】
本考案によれば、微創の基礎上に、無創傷医療という新理念が創始され、患者がメスによる手術を受けずとも、一部の腸疾病の手術を完了可能であり、患者の苦痛や経済負担を軽減するとともに、生活品質を高めることが可能となる。内蔵吸管式小腸内視鏡は、吸管式全小腸内視鏡に対し、動物実験を経て動力システムを改良したものであり、ノード、吸管固定環、滑道固定環及び金属滑道が省略され、その検出性能がより安定化されるとともに、更なる耐久性が得られる。
【図面の簡単な説明】
【０００８】
【図１】本考案の検出部の概略図である。
【図２】本考案の全体平面概略図である。
【図３】本考案の検出部の縦断面を示す概略図である。
【考案を実施するための形態】
【０００９】
以下に、図面を参照して、本考案について詳しく説明する。
【実施例】
【００１０】
図２において、各部分を接続し消毒した後、ホストコンピュータ１９、プリンタ２０、負圧吸引機２１及び冷光源１８をオンにする。そして、静脈麻酔状態で、口を経て動物体内に検出部を挿し込み、方向制御ボタンにより回転させ、腸の走向に沿って更に小腸内視鏡を押し進める。十二指腸を経て、空腸に入り、多少の距離を経た後、小腸内視鏡を押し進められなくなった場合、１２時と６時に位置する２つの吸管７が吸気し始める。吸管は腸壁を引き付け、操作者が体外で２つの吸気開始の吸管を引くと、吸管は後方に一定距離移動する。この場合、３時と９時に位置する別の吸管が吸気し始め、操作者がそれを先の１２時と６時の作業箇所まで引き、負圧を保つ。この時、先の二つの吸管（１２時と６時に位置する吸管）が負圧を閉じて、腸壁から離れ、操作者により開始部位に押し進められる。このように、小腸全体の観察及び検出が完成するまで、操作を繰り返す。
【符号の説明】
【００１１】
１    冷光源出力点
２    画像採集ウィンドウ
３    生体組織検査孔
４    ノズル
５    回転部
６    吸孔
７    吸管
８    送気・進水孔ボタン
９    吸気・吸水孔ボタン
１０  生体組織検査電気焼灼入口
１１  接眼鏡
１２  外部送気孔
１３  吸気吸水孔
１４  アース孔
１５  排気排水孔
１６  外部冷光源伝入孔
１７  画像情報伝出端
１８  冷光源
１９  ホストコンピュータ
２０  プリンタ
２１  負圧吸引機
【図１】
0003166397.tif 000003
【図２】
0003166397.tif 000004
【図３】
0003166397.tif 000005